(57)【要約】【課題】道具を使用することなく容易にかつ素早くシールド板を基板収納ボックスから取り外したり、取り付けたりすることができる遊技機を提供する。【解決手段】遊技に関する制御用電子基板を収納するケース体４１と前記ケース体に被着されるカバー体とで構成された基板収納ボックスと、前記基板収納ボックスの外面の少なくとも一面をほぼ覆って配置されるシールド板７１と、前記基板収納ボックスに設けられて前記シールド板を着脱自在にする取付部材５０とを備えた遊技機において、前記取付部材は前記シールド板に対する固定部５３を備え、前記基板収納ボックスの外面に前記シールド板の縁を固定する第一位置Ａと、前記シールド板の縁の固定を解除して前記シールド板の取り外しを可能にする第二位置Ｂとの間で前記固定部が変位可能とされている。【選択図】　　　　図５
2004057637.tif 000002
【特許請求の範囲】
【請求項１】
遊技に関する制御用の電子基板と、
前記電子基板を収納するケース体と前記ケース体に被着されるカバー体とで構成された基板収納ボックスと、
前記基板収納ボックスの外面の少なくとも一面をほぼ覆って配置されるシールド板と、
前記基板収納ボックスに設けられて前記シールド板を着脱自在にする取付部材とを備えた遊技機において、
前記取付部材は前記シールド板に対する固定部を備え、前記基板収納ボックスの外面に前記シールド板の縁を固定する第一位置と、前記シールド板の縁の固定を解除して前記シールド板の取り外しを可能にする第二位置との間で前記固定部が変位可能とされていることを特徴とする遊技機。
【請求項２】
前記シールド板の縁が、前記基板収納ボックスの外面と前記第一位置の前記取付部材の前記固定部とで挟持されることを特徴とする請求項１に記載の遊技機。
【請求項３】
前記取付部材は支軸部と前記固定部とよりなり、前記支軸部が前記基板収納ボックスの外面に回動自在に軸着されて前記支軸部を中心とする前記取付部材の回動により、前記固定部が前記第一位置と前記第二位置間を変位可能とされていることを特徴とする請求項１又は２に記載の遊技機。
【請求項４】
前記取付部材の前記固定部は、前記シールド板の固定を解除する前記第二位置では前記基板収納ボックスの外面との間隔が前記シールド板の厚みより小にされて、前記固定部の前記第二位置から前記第一位置への変位によって前記固定部が前記基板収納ボックス外面の前記シールド板外面に乗り上げて前記シールド板を前記基板収納ボックスの外面へ押圧することを特徴とする請求項１から３の何れか一項に記載の遊技機。
【請求項５】
前記取付部材の前記固定部は、前記基板収納ボックス側の面にシールド板押圧用凸部が突設され、かつ前記シールド板押圧用凸部は、前記取付部材の変位により前記固定部が前記第二位置から前記第一位置へ変位する際の変位方向側の側面が傾斜面または円弧面とされていることを特徴とする請求項１から４の何れか一項に記載の遊技機。
【請求項６】
前記取付部材の前記固定部には、前記基板収納ボックス側とは反対側に変位操作用突部が形成されていることを特徴とする請求項１から５の何れか一項に記載の遊技機。
【請求項７】
前記シールド板と前記電子基板とは前記取付部材を介して電気的に接続され、かつ前記電子基板がアース処理されていることを特徴とする請求項１から６の何れか一項に記載の遊技機。
【請求項８】
前記ケース体と前記カバー体には、前記ケース体と前記ケース体に被着された前記カバー体とを結合し分離を妨げるための封止結合部が形成されると共に、前記ケース体と前記カバー体の少なくとも何れか一方の前記封止結合部は切断可能とされ、前記封止結合部同士による結合後は前記切断可能な封止結合部の切断によってのみ前記封止結合が解除可能に構成されていることを特徴とする請求項１から７の何れか一項に記載の遊技機。
【請求項９】
前記基板収納ボックスの外面に配置された前記シールド板の外面が前記基板収納ボックスの外面よりも外方へ突出して、前記基板収納ボックスの外面と前記シールド板の外面間に段差を有することを特徴とする請求項１から８の何れか一項に記載の遊技機。
【請求項１０】
前記基板収納ボックスと前記シールド板とには前記シールド板配置時の仮固定手段が設けられていることを特徴とする請求項１から９の何れか一項記載の遊技機。
【請求項１１】
前記シールド板の前記仮固定手段は、前記シールド板の縁から外方へ突出形成された突部で構成され、前記基板収納ボックスの前記仮固定手段は、前記基板収納ボックスの外面に立設され前記シールド板の配置時に前記シールド板の前記仮固定手段が圧接するリブ状部で構成されることを特徴とする請求項１０に記載の遊技機。
【請求項１２】
前記シールド板の縁には前記基板収納ボックスに対して反対側へ突出した爪又は屈曲形状からなるシールド板取り外し用引っ掛け部が形成されていることを特徴とする請求項１から１１の何れか一項に記載の遊技機。
【発明の詳細な説明】
【０００１】
【発明の属する技術分野】
本発明は、遊技機に関し、特には遊技に関する制御用の電子基板が収納される基板収納ボックスを備えた遊技機に関する。
【０００２】
【従来の技術】
従来、パチンコ遊技機等の遊技機においては、遊技に関する制御用の電子基板がプラスチック製の基板収納ボックスに収納されて遊技機の裏面側に配置されている。従来における基板収納ボックスは、電子基板を収納するケース体と、前記ケース体に被着されるカバー体とで構成される。
【０００３】
また、遊技機の裏面側には、遊技盤と基板収納ボックスとの間に、賞球や貸し球などのための遊技媒体を受け止める球貯留タンク、前記球貯留タンクから遊技媒体を払出装置へ導く誘導樋、前記誘導樋の遊技媒体を遊技状態に応じて払い出す払出装置等のような遊技媒体用部品が設置されている。そして、前記遊技媒体用部品において遊技媒体同士が接触したり、あるいは誘導樋などを構成する部材と遊技媒体が接触したりすることによって静電気が発生し、その静電気から放射ノイズを生じる場合があった。
【０００４】
前記放射ノイズを生じると、前記電子基板による遊技制御に支障、例えば遊技制御に対する誤動作や電子基板自体の破損等を引き起こすおそれがある。そのため、従来では、前記基板収納ボックスの外面に、少なくとも一面を覆うシールド板をビスなどの締結部材により固定して、前記放射ノイズによる電子基板への影響を防ぐことがなされている。
【０００５】
【発明が解決しようとする課題】
また、前記基板収納ボックスは、内部に収納された電子基板を外部から検査できるように、少なくとも一部が透明部材で構成されることが多いため、前記シールド板が基板収納ボックスの外面に取り付けられていると、前記シールド板に邪魔されて基板収納ボックス内の電子基板が外部から見えないことがある。その場合、前記シールド板を基板収納ボックスから外さなければならなかった。
【０００６】
しかし、従来の遊技機においては、前記シールド板がビスなどの締結部材で基板収納ボックスに取り付けられているため、ドライバーなどの締結部品取り外し用道具が無いと、前記シールド板を外すことができないという煩わしさがあった。しかも、前記シールド板は、前記ビスなどの締結部品でしっかりと前記基板収納ボックスに締め付け固定されているため、前記シールド板を外す際に、締結部品をドライバーで緩めようとしても固すぎて容易に回すことができないことがある。さらに、強引にドライバーを回し過ぎて、前記締結部品の頭部のネジ孔を潰し、ますます締結部品を緩めることが困難になる事さえある。
【０００７】
本発明は上記の問題点に鑑みてなされたものであって、締結部品取り外し用道具を使用することなく容易にかつ素早くシールド板を基板収納ボックスから取り外したり、取り付けたりすることができる遊技機の提供を目的とするものである。
【０００８】
【課題を解決するための手段】
請求項１の発明は、遊技に関する制御用の電子基板と、前記電子基板を収納するケース体と前記ケース体に被着されるカバー体とで構成された基板収納ボックスと、前記基板収納ボックスの外面の少なくとも一面をほぼ覆って配置されるシールド板と、前記基板収納ボックスに設けられて前記シールド板を着脱自在にする取付部材とを備えた遊技機において、前記取付部材は前記シールド板に対する固定部を備え、前記基板収納ボックスの外面に前記シールド板の縁を固定する第一位置と、前記シールド板の縁の固定を解除して前記シールド板の取り外しを可能にする第二位置との間で前記固定部が変位可能とされていることを特徴とする。
【０００９】
請求項２の発明は、請求項１において、前記シールド板の縁が、前記基板収納ボックスの外面と前記第一位置の前記取付部材の前記固定部とで挟持されることを特徴とする。
【００１０】
請求項３の発明は、請求項１又は２において、前記取付部材は支軸部と前記固定部とよりなり、前記支軸部が前記基板収納ボックスの外面に回動自在に軸着されて前記支軸部を中心とする前記取付部材の回動により、前記固定部が前記第一位置と前記第二位置間を変位可能とされていることを特徴とする。
【００１１】
請求項４の発明は、請求項１から３の何れか一項において、前記取付部材の前記固定部は、前記シールド板の固定を解除する前記第二位置では前記基板収納ボックスの外面との間隔が前記シールド板の厚みより小にされて、前記固定部の前記第二位置から前記第一位置への変位によって前記固定部が前記基板収納ボックス外面の前記シールド板外面に乗り上げて前記シールド板を前記基板収納ボックスの外面へ押圧することを特徴とする。
【００１２】
請求項５の発明は、請求項１から４の何れか一項において、前記取付部材の前記固定部は、前記基板収納ボックス側の面にシールド板押圧用凸部が突設され、かつ前記シールド板押圧用凸部は、前記取付部材の変位により前記固定部が前記第二位置から前記第一位置へ変位する際の変位方向側の側面が傾斜面または円弧面とされていることを特徴とする。
【００１３】
請求項６の発明は、請求項１から５の何れか一項において、前記取付部材の前記固定部には、前記基板収納ボックス側とは反対側に変位操作用突部が形成されていることを特徴とする。
【００１４】
請求項７の発明は、請求項１から６の何れか一項において、前記シールド板と前記電子基板とは前記取付部材を介して電気的に接続され、かつ前記電子基板がアース処理されていることを特徴とする。
【００１５】
請求項８の発明は、請求項１から７の何れか一項において、前記ケース体と前記カバー体には、前記ケース体と前記ケース体に被着された前記カバー体とを結合し分離を妨げるための封止結合部が形成されると共に、前記ケース体と前記カバー体の少なくとも何れか一方の前記封止結合部は切断可能とされ、前記封止結合部同士による結合後は前記切断可能な封止結合部の切断によってのみ前記封止結合が解除可能に構成されていることを特徴とする。
【００１６】
請求項９の発明は、請求項１から８の何れか一項において、前記基板収納ボックスの外面に配置された前記シールド板の外面が前記基板収納ボックスの外面よりも外方へ突出して、前記基板収納ボックスの外面と前記シールド板の外面間に段差を有することを特徴とする。
【００１７】
請求項１０の発明は、請求項１から９の何れか一項において、前記基板収納ボックスと前記シールド板には前記シールド板配置時の仮固定手段が設けられていることを特徴とする。
【００１８】
請求項１１の発明は、請求項１０において、前記シールド板の前記仮固定手段は、前記シールド板の縁から外方へ突出形成された突部で構成され、前記基板収納ボックスの前記仮固定手段は、前記基板収納ボックスの外面に立設され前記シールド板の配置時に前記シールド板の前記仮固定手段が圧接するリブ状部で構成されることを特徴とする。
【００１９】
請求項１２の発明は、請求項１から１１の何れか一項において、前記シールド板の縁には前記基板収納ボックスに対して反対側へ突出した爪又は屈曲形状からなるシールド板取り外し用引っ掛け部が形成されていることを特徴とする。
【００２０】
【発明の実施の形態】
以下図面を用いて本発明の実施形態を説明する。図１は本発明の一実施例に係る遊技機の正面図、図２は図１の実施例に係る遊技機の背面図、図３はシールド板が取り付けられた基板収納ボックスのカバー体側からの斜視図、図４は同シールド板が取り付けられた基板収納ボックスのシールド板側からの斜視図、図５は図４の５部分を示す斜視図、図６は図４の６−６断面図、図７はシールド板とケース体とカバー体の分解斜視図、図８はケース体の斜視図、図９は取付部材の斜視図、図１０はカバー体の斜視図である。
【００２１】
図１に示す遊技機１０は、本発明の一実施例に係るパチンコ遊技機であり、前枠１１の背面に遊技盤１３が取り付けられ、その遊技盤１３を覆うガラス扉１５が前枠１１の前面側に開閉可能に取り付けられている。前記遊技盤１３の盤面１４には、各種入賞口１８、始動口１９、普通図柄始動ゲート２０が設けられている。そして、発射装置２５により遊技盤１３の盤面１４へ発射された遊技球が入賞口１８へ入球することにより、所定数の賞品球が払い出され、また前記発射された遊技球が始動口１９へ入球することにより、遊技盤１３上の画像表示部１６で複数の図柄が変動し、その後に特定の図柄で停止することにより、大当たりとなるように構成されている。なお、前記普通図柄始動ゲート２０に遊技球が入球すると、遊技盤１３上の普通図柄表示装置１７で図柄が変動し、特定の図柄で停止することにより、小当たりとなって前記始動口１９が略Ｖ字形に拡開して入球し易くなる。図１における符号２３は遊技球を受ける上皿、２４は下皿、２６は発射レバー、２７はスピーカ、２８は遊技演出あるいは報知用ランプ、２９はカードユニット、３０は外枠である。
【００２２】
前記遊技機１０の裏面側、すなわち、前記前枠１１の裏面や、該前枠１１の裏面に取り付けられた基枠（図示せず）あるいは前記遊技盤１３等の裏面には、図２に示すように、遊技制御のための電子制御基板として、主制御基板３１、音声制御板３２、ランプ制御基板３３、電源基板３４、発射装置制御基板３５、払い出し制御基盤３６、図柄制御基板３７等が、個別にあるいは複数まとめて所要サイズの基板収納ボックス３１Ｃ，３２Ｃ，３３Ｃ，３４Ｃ，３５Ｃ，３６Ｃ，３７Ｃ等に収容された状態で取り付けられている。符号３８は球貯留タンク、３９は誘導樋である。
【００２３】
この例における基板収納ボックス３１Ｃ〜３７Ｃは、図３〜図７等に示す主制御基板用の基板収納ボックス３１Ｃのように、アクリル樹脂等の透明樹脂からなるほぼ直方体形状の箱体からなり、前記遊技機１０の裏面側に固定されるケース体４１と、該ケース体４１に被着されるカバー体５７とで構成され、前記ケース体４１の外面には金属製シールド板７１が取り付けられる。
【００２４】
前記ケース体４１は、前記カバー体５７と対向する側が開口した箱状のものからなり、図７及び図８からよりよく理解されるように、基板配置面４２とその周縁に立設された側面４３とで構成され、前記側面４３で包囲される基板配置面４２の内面４４に電子基板Ｓ（この例では前記主制御基板３１）が収納配置される。前記基板配置面４２の内面４４には、一組の対角線上の隅に、電子基板位置決めピン４５が形成され、残る対角線上の隅には筒状突部４６が形成されている。前記筒状突部４６の両端は基板配置面４２の内面４４と外面４７（図５、図７に示す）で開口し、前記筒状突部４６内に金属製ナットＮが嵌着されている。前記金属製ナットＮは両端が前記筒状突部４６の両端で開口し、前記基板配置面４２の内面４４側と外面４７側の両方からビスＶ１，Ｖ２が螺合可能になっている。
【００２５】
図８に示すように、前記電子基板Ｓの四隅には取付孔Ｓ１が形成され、その取付孔Ｓ１のうち対向する一組の取付孔Ｓ１ａは前記ケース体４１の電子基板位置決めピン４５が挿入されて係止し、前記取付孔Ｓ１のうち残りの組の取付孔Ｓ１ｂは前記ケース体４１の内側から前記金属製ナットＮに金属製ビスＶ１で固定される。前記電子基板Ｓにおける取付孔Ｓ１のうち、前記金属製ナットＮにビスＶ１で固定される取付孔Ｓ１ｂの周縁は、前記ビスＶ１と接触する部分に金属メッキ（図示せず）が施されている。さらに、前記取付孔Ｓ１ｂ周縁の金属メッキは、この電子基板Ｓにおけるアース回路（図示せず）と通じアース処理が施されている。それにより、前記電子基板Ｓのアース回路を通じて前記金属製ナットＮがアースされ、さらには前記金属製ナットＮに前記基板配置面４２の外面側から取り付けられる後述のシールド板７１がアースされてシールド板７１によるシールド性が一層高められている。
【００２６】
また、前記基板配置面４２の内面４４には、前記側面４３のうち、一組の対向する側面４３ａ，４３ａからそれぞれ所要距離内側位置にケース体側封止結合部４８が形成されている。このケース体側封止結合部４８は、図６及び図８に示すように、二つの平行な封止部材固定部品挟持用リブ４８ａ，４８ｂと、前記封止部材固定部品挟持用リブ４８ａ，４８ｂ間に挟持された封止部材固定部品４９とで構成されている。
【００２７】
前記封止部材固定部品挟持用リブ４８ａ，４８ｂには、長さ方向に沿って所定間隔で封止部材挿入孔ｈ１，ｈ２が形成され、また外側の封止部材固定部品挟持用リブ４８ａと前記ケース体４１の側面４３ａとの間がカバー体側封止結合部挿入空間４８ｃとされ、さらに前記側面４３ａの自由端は、前記封止部材挿入孔ｈ１，ｈ２と対応する位置にＵ字形状の切り欠き凹部４３ｂが形成され、後述する封止部材６５を封止部材挿入孔ｈ１等へ挿入する際にその挿入を妨げないようになっている。また、前記封止部材固定部品４９は、図７から理解されるように、金属製プレートからなり、前記封止部材固定部品挟持用リブ４８ａ，４８ｂに形成された封止部材挿入孔ｈ１，ｈ２と一直線となる位置に、封止部材係止孔ｈ３が星形状に打ち抜き形成されている。前記封止部材係止孔ｈ３は、前記封止部材固定部品挟持用リブ４８ａ、４８ｂの封止部材挿入孔ｈ１，ｈ２よりも小さく形成されて、後述の封止部材６５の外周に形成されている溝部６８に係止できるようにされると共に、前記係止後に前記封止部材６５を基板収納ボックス３１Ｃの外方へ引っ張っても、前記係止が解除されないよう、前記封止部材係止孔ｈ３の周縁が前記ケース体４１の内方へ傾斜している。
【００２８】
前記基板配置面４２の外面４７は、ほぼ平面で構成され、前記基板配置面４２の外面４７にシールド板７１が配置された際に、シールド板７１の外面７２が基板配置面４２の外面４７よりも、すなわち前記基板収納ボックス３１Ｃの外面よりも外方へ突出して、前記基板配置面４２の外面４７（すなわち前記基板収納ボックス３１Ｃの外面）との間に段差を生じるようになっている。この実施例におけるシールド板７１は、ほぼ長方形の板状体からなり、対向する一組のコーナー部にはほぼ長方形に切除された切り欠きコーナー部７３が形成されている。前記シールド板７１の切り欠きコーナー部７３は、前記ケース体４１の筒状突部４６及び金属製ナットＮと位置を合わせて前記基板配置面４２の外面４７における隅に配置され、それによって前記金属製ナットＮの開口部がシールド板７１の切り欠きコーナー部７３から露出する。
【００２９】
前記金属製ナットＮには、前記基板取付面４２の外面４７から取付部材５０が取り付けられる。前記取付部材５０は、前記シールド板７１を前記ケース体４１における基板配置面４２の外面４７に着脱自在にするためのもので、図５及び図９から理解されるように、一端が面取りされた平面視略長方形の金属製回動片で構成され、面取りされた一端側が支軸部５１、他端側が固定部５３とされている。前記支持部５１には取付孔５２が形成され、前記取付孔５２に挿入された金属製ビスＶ２を前記金属製ナットＮに螺合させることによって、この取付部材５０が前記基板取付面４２の外面４７における隅に回動可能に軸着されている。前記取付部材５０の回動により、前記シールド板７１の縁（この例では前記切り欠きコーナー部７３）を前記基板収納ボックス３１Ｃの外面（この例では前記ケース体４１における基板取付面４２の外面４７）に固定する第一位置Ａと、前記シールド板７１の縁の固定を解除する第二位置Ｂとの間で、前記固定部５３が変位する。なお、この実施例における前記固定部５３は、前記シールド板７１の固定を解除する第二位置Ｂのときに、前記シールド板７１の切り欠きコーナー部７３の長辺と平行になって前記シールド板７１の外側に位置し、前記第一位置Ａへの回動（変位）により前記切り欠きコーナー部７３の長辺と交差して前記シールド板７１の外面７２に乗り上げ、前記ケース体４１における前記基板配置面４２の外面４７と前記取付部材５０の固定部５３との間で前記シールド板７１の縁を挟持する。また、前記挟持によって前記基板収納ボックス３１Ｃに対して前記シールド板７１が遊技時の振動で異音を生じないようにすることができる。
【００３０】
前記取付部材５０の固定部５３は、前記基板収納ボックス３１Ｃ側（前記シールド板７１の取付時におけるシールド板７１側）となる面にシールド板押圧用凸部５４が形成され、かつ前記シールド板固定解除状態の第二位置Ｂからシールド板固定状態の第一位置Ａへ変位する際の回動方向側（変位方向側）の側面５４ａが傾斜面または円弧面とされている。これによって、前記取付部材５０の固定部５３が第二位置Ｂから第一位置Ａへ回動変位する際、前記ケース体４１における前記基板配置面４２の外面４７との間に段差を有する前記シールド板７１の外面７２に、抵抗少なく容易に前記固定部５３が乗り上げることができる。また、前記シールド板固定状態の第一位置Ａへ前記固定部５３が変位した際に前記シールド板７１の外面７２を前記ケース体４１における基板配置面４２の外面４７へ強圧固定できるように、前記シールド板固定解除状態の第二位置Ｂでは前記取付部材５０の固定部５３と、前記ケース体４１における基板取付面４２の外面４７との間隔、すなわち前記固定部５３のシールド板押圧用凸部５４と前記基板取付面４２の外面４７との間隔が、前記シールド板７１の厚みより小とされている。
【００３１】
また、前記取付部材５０の固定部５３には、前記基板収納ボックス３１Ｃのケース体７１とは反対側に変位操作用突部（この例では回動操作用突部）５５が屈曲形成され、前記取付部材５０の回動変位を手動で行う際に、前記変位操作用突部５５に指をかけて固定部５３を容易に回動変位させることができるようにされている。
【００３２】
前記ケース体４１における前記基板配置面４２の外面４７の周縁には、シールド板仮固定用係止部４７ａとしてのリブ状部が、この例では前記側面４３から連続して突設されている。さらにまた、前記ケース体４１の側部には、前記遊技盤１３の裏側に形成されたフック（図示せず）に対する係止部４１ａと、前記遊技盤１３の裏側へのネジ止め部４１ｂと、前記カバー体５７の外面に対する係合爪４１ｃが形成されている。
【００３３】
カバー体５７は、前記ケース体４１と対向する側が開口した箱状のものからなり、図１０にも示すように、前記ケース体４１の開口部分に蓋をする蓋面５７ａとその周縁に立設された側面５７ｂとで構成され、前記側面５７ｂが前記ケース体４１における側面４３の内側に重なるようにして前記ケース体４１に被着される。また、図７及び図１０からよりよく理解されるように、前記カバー体５７における一組の対向する側面５７ｃ，５７ｃには、前記ケース体４１にカバー体５７が被着された際に前記ケース体４１の封止部材固定部品挟持用リブ４８ａと側面４３ａとの間のカバー体側封止結合部挿入空間４８ｃに挿入されるカバー体側封止結合部５８が形成されている。
【００３４】
前記カバー体側封止結合部５８は、板状片５９の中央に封止部材挿入孔６０が形成されたもので構成され、前記板状片５９の基部がくびれて細くなった切断用連結部６１とされ、前記切断用連結部６１でカバー体５７から切断可能になっている。また、前記カバー体側封止結合部５８は、前記ケース体側封止結合部４８の封止部材挿入孔ｈ１，ｈ２及び封止部材係止孔ｈ３と同数（この例では４個）、かつ間隔を合わせて複数形成されており、図６に示すように、前記ケース体４１に前記カバー体５７が被着された際に、前記カバー体側封止結合部５８の封止部材挿入孔６０と前記ケース体側封止結合部４８の封止部材挿入孔ｈ１，ｈ２及び封止部材係止孔ｈ３が一直線に位置するようになっている。
【００３５】
前記カバー体側封止結合部５８の封止部材挿入孔６０は、前記カバー体５７がケース体４１に被着された際に、図３及び図６に示すように、前記ケース体４１の側面４３ａにおける前記切り欠き凹部４３ｂに位置して外部に露出する。また、前記カバー体５７と前記ケース体４１の封止結合は、前記カバー体５７がケース体４１に被着され、前記ケース体４１における側壁４３ａの切り欠き凹部４３ｂで露出している前記カバー体側封止結合部５８の封止部材挿入孔６０の一つに、封止部材６５を挿入することにより行われる。図３に示すように、前記封止部材６５は、軸部６６の一端に前記封止部材挿入孔６０の径よりも大径の拡大部６７が形成されたピン状からなり、前記軸部６６の先端側外周に溝部６８が形成されている。前記封止部材６５の溝部６８に、前記ケース体側封止結合部４８における前記封止部材固定部品４９の封止部材係止孔ｈ３の周縁が嵌合することによって、前記カバー体５７と前記ケース体４１が封止結合される。そして、前記封止部材６５が挿入されているカバー体側封止結合部５８をその基部の切断用連結部６１で切断しない限り、前記カバー体５７と前記ケース体４１の封止結合が解除されなくなる。そのため、前記基板収納ボックス３１Ｃ内の電子基板Ｓに対する不正操作を防止することができ、また不正操作されたか否かが前記切断用連結部６１の切断有無により容易に判断できる。
【００３６】
なお、前記切断用連結部６１が切断されたカバー体側封止結合部５８は再使用できなくなるため、検査等の理由で前記カバー体５７と前記ケース体４１を分離し、その後閉じる場合には、前記複数のカバー体側封止結合部５８のうち、残っている未使用のものを順次使用して前記カバー体５７と前記ケース体４１の封止結合を行う。また、前記複数のカバー体側封止結合部５８において未使用のものについては、不正操作を目的とする針金等の挿入ができないように、前記封止部材挿入孔６０に孔塞ぎ用キャップ６２が取り外し自在に装着されている。さらに、前記封止部材６５は、前記封止部材固定部品４９の封止部材係止孔ｈ３の周縁が溝部６８に嵌合すると、前記封止部材係止孔ｈ３から抜けなくなって再使用できなくなる。そのため、この実施例では、前記カバー体５７と前記ケース体４１を検査等で開けた後の封止結合に用いる予備の封止部材６５ａが、前記カバー体５７の外面に分離可能に設けられている。
【００３７】
シールド板７１は、図４及び図７に示すように、この実施例では、前記の如くほぼ長方形の金属板状体からなり、対向する一組のコーナー部にはほぼ長方形に切除された切り欠きコーナー部７３が形成され、また縁には対向する一組の辺にシールド板仮固定用手段としての仮固定用係止部７４、残りの対向する一組の辺にシールド板取り外し用引っ掛け部７８がそれぞれ形成されている。
【００３８】
前記仮固定用係止部７４は、前記シールド板７１の縁から外方へ突出形成された突部で構成され、前記シールド板７１が前記ケース体４１の基板配置面４２の外面４７に配置された際に、前記基板配置面４２の外面４７においてシールド板仮固定用係止部４７ａとして形成されているリブ状部の内側側面４７１ａに圧接係止する。それにより、前記取付部材５０の固定部５３が第二位置Ｂのときに、前記シールド板７１を前記ケース体４１に仮固定して脱落を防止し、前記シールド板７１の着脱等の作業を容易にする。さらに、前記シールド板７１における仮固定用係止部７４の形状は、この例では前記シールド板７１の縁からシールド板７１の外面側へ略くの字形状に屈曲してシールド板７１の外方へ膨出した係止片形状とされ、前記ケース体４１におけるシールド板仮固定用係止部４７ａとしてのリブ状部の内側側面４７１ａに対し、弾性的に圧接係止するようになっている。
【００３９】
また、前記シールド板取り外し用引っ掛け部７８は、前記仮固定状態のシールド板７１を前記基板収納ボックス３１Ｃから外す際に作業者の指等の引っ掛け用とされるもので、この例では前記シールド板７１の縁の一部が前記基板収納ボックス３１Ｃとは反対側へ屈曲して突出し、前記基板収納ボックス３１Ｃ、すなわち前記ケース体４１の外面４７との間に引っ掛け用隙間７８ａを形成するように構成されている。前記シールド板７１を外す際、作業者の指等を前記引っ掛け用隙間７８ａに差し込んで前記シールド板取り外し用引っ掛け部７８に引っ掛け、その状態で前記シールド板７１を基板収納ボックス３１Ｃ（前記ケース体４１）から引き離すことにより、前記仮固定中のシールド板７１を容易に外すことができる。
【００４０】
なお、本発明は前記実施例のものに限られるものではなく、本発明の趣旨を逸脱しない範囲で適宜変更が加えられてもよい。例えば、前記取付部材５０をスライド式にしたり、前記シールド板取り外し用引っ掛け部７８を、切り起こしによる爪状のもので構成したりしてもよい。さらに前記シールド板７１を、前記カバー体５７側に取り付けたり、前記基板収納ボックス３１Ｃの二面以上を覆うようにして取り付けたりしてもよい。さらにまた、前記実施例では前記カバー体側封止結合部５８を切断可能なものにしたが、前記ケース体側封止結合部４８を切断可能なものにしてもよい。
【００４１】
【発明の効果】
前記のように、請求項１に係る発明によれば、前記取付部材の前記固定部を前記第一位置と前記第二位置間で変位させることにより前記シールド板の着脱を行えるため、ドライバーなどの道具が無くても前記シールド板の着脱作業を簡単に行うことができる。
【００４２】
請求項２の発明によれば、前記シールド板が前記基板収納ボックスの外面と前記第一位置における前記取付部材の前記固定部とで挟持固定されるため、前記シールド板の前記基板収納ボックスへの固定が確実になる。
【００４３】
請求項３の発明によれば、前記取付部材の回動操作によって前記シールド板の着脱を行えるため、前記シールド板の着脱作業が一層簡単になる。しかも前記取付部材の構成も簡素化することができる。
【００４４】
請求項４の発明によれば、前記第二位置における前記取付部材の前記固定部と前記基板収納ボックス間の間隔が前記シールド板の厚みより小とされ、前記第二位置から前記第一位置への変位時に前記シールド板の外面に前記固定部が乗り上げて前記シールド板を前記基板収納ボックスの外面へ押圧するため、前記基板収納ボックスに対する前記シールド板の固定が一層強固になる。
【００４５】
請求項５の発明によれば、前記取付部材の前記固定部には前記基板収納ボックス側の面に前記シールド板押圧用凸部が突設され、さらに前記シールド板押圧用凸部は、前記固定部が前記第二位置から前記第一位置へ変位する際の変位方向側の側面を傾斜面又は円弧面としているため、前記第一位置へ前記固定部を変位させる際にスムーズに前記シールド板の外面に乗り上げることができ、しかも前記第一位置では前記シールド板押圧用凸部で前記シールド板を前記基板収納ボックス外面へ強く押圧することができ、確実に固定することができる。
【００４６】
請求項６の発明によれば、前記取付部材に形成された前記変位操作用突部に指を引っかけて前記取付部材の前記固定部を前記第一位置と前記第二位置間で変位させることができるため、前記取付部材の変位操作による前記シールド板の着脱作業が、一層簡単に行えるようになる。
【００４７】
請求項７の発明によれば、前記シールド板と前記電子基板が前記取付部材を介して電気的に接続され、かつ前記電子基板がアース処理されているため、前記シールド板が吸収した静電気による放射ノイズを前記電子基板に影響を与えることなくアースに流出させることができる。しかも、前記シールド板に対して別個にアース処理を行う必要がなく、単に前記基板収納ボックスに前記シールド板を取り付けるだけで前記シールド板のアース処理も併せて行えるため、作業が簡略になる。
【００４８】
請求項８の発明によれば、切断しなければ結合の解除されない前記封止結合部によって前記基板収納ボックスのケース体とカバー体が封止結合されるため、前記ケース体と前記カバー体を開いて行う電子基板への不正操作を防止することができ、また不正操作が行われた場合には容易に発見することができる。
【００４９】
請求項９の発明によれば、前記基板収納ボックスの外面よりも前記シールド板の外面が外方へ突出して前記基板収納ボックスの外面と前記シールド板の外面間に段差が存在するため、前記取付部材の前記固定部による前記シールド板に対する前記基板収納ボックス外面への押圧力が一層強くなり、前記シールド板の固定を一層確実に行うことができる。
【００５０】
請求項１０及び１１の発明によれば、前記基板収納ボックスと前記シールド板とに、前記シールド板配置時の仮固定手段が設けられているため、前記シールド板着脱作業時に前記シールド板を前記基板収納ボックスに一旦仮止めし、その状態で前記取付部材の操作を行うことができるので、前記シールド板の着脱作業を容易、かつ確実に行うことができる。
【００５１】
請求項１２の発明によれば、前記シールド板の縁に前記基板収納ボックスとは反対側へ突出した前記シールド板取り外し用引っ掛け部が形成されているため、前記シールド板取り外し用引っ掛け部に指等を引っ掛けて前記シールド板の着脱作業を行うことができ、前記シールド板の着脱作業がより容易になる。
【図面の簡単な説明】
【図１】本発明の一実施例に係る遊技機の正面図である。
【図２】図１の実施例に係る遊技機の背面図である。
【図３】シールド板が取り付けられた基板収納ボックスのカバー体側からの斜視図である。
【図４】同シールド板が取り付けられた基板収納ボックスのシールド板側からの斜視図である。
【図５】図４の５部分を示す斜視図である。
【図６】図４の６−６断面図である。
【図７】シールド板とケース体とカバー体の分解斜視図である。
【図８】ケース体の斜視図である。
【図９】取付部材の斜視図である。
【図１０】カバー体の斜視図である。
【符号の説明】
１０　遊技機
３１Ｃ〜３７Ｃ　　基板収納ボックス
４１　ケース体
４７ａ　ケース体におけるシールド板仮固定用係止部
４８　ケース体側封止結合部
５０　取付部材
５１　支軸部
５３　固定部
５４　シールド板押圧用凸部
５５　変位操作用突部
５７　カバー体
５８　カバー体側封止結合部
７１　シールド板
７２　シールド板の外面
７４　シールド板における仮固定用係止部
７８　シールド板取り外し用引っ掛け部
Ａ　第一位置
Ｂ　第二位置
Ｓ　電子基板
【図１】
2004057637.tif 000003
【図２】
2004057637.tif 000004
【図３】
2004057637.tif 000005
【図４】
2004057637.tif 000006
【図５】
2004057637.tif 000007
【図６】
2004057637.tif 000008
【図７】
2004057637.tif 000009
【図８】
2004057637.tif 000010
【図９】
2004057637.tif 000011
【図１０】
2004057637.tif 000012